(57)【要約】【課題】ＬＰＰを設ける光記録媒体におけるエラー特性の劣化を抑制し、品質の安定化及び信頼性の向上を図る。【解決手段】再生用光の波長λが６５０ｎｍ±１０ｎｍ、対物レンズの開口数ＮＡが０．６０±０．０５、記録トラックのトラックピッチが７４０ｎｍ±３０ｎｍとされて成る光記録媒体であって、記録トラックに沿って少なくともウォブルグルーブを設け、このウォブルグルーブの間のランドにランドプリピット（ＬＰＰ）をウォブルグルーブとは独立に設けて、ランドプリピットの隣接する一方のウォブルグルーブからの距離δを、２９０ｎｍ≦δ≦３６０ｎｍとして構成する。【選択図】        図１
2005032388.tif 000002
【特許請求の範囲】
【請求項１】
再生用光の波長λが６５０ｎｍ±１０ｎｍ、対物レンズの開口数ＮＡが０．６０±０．０５、記録トラックのトラックピッチが７４０ｎｍ±３０ｎｍとされて成る光記録媒体であって、
上記記録トラックに沿って少なくともウォブルグルーブが設けられ、該ウォブルグルーブの間のランドにランドプリピットが上記ウォブルグルーブとは独立に設けられ、
上記ランドプリピットの隣接する一方の上記ウォブルグルーブからの距離δが、
２９０ｎｍ≦δ≦３６０ｎｍ
とされて成ることを特徴とする光記録媒体。
【請求項２】
記録層が色素材料より成ることを特徴とする請求項１記載の光記録媒体。
【請求項３】
上記ランドプリピットの上記記録トラックと直交する方向の長さをａとしたときに、
１１０ｎｍ≦ａ≦２３０ｎｍ
とされて成ることを特徴とする請求項１記載の光記録媒体。
【請求項４】
上記ランドプリピットの上記記録トラックと直交する方向の長さをａとしたときに、
１１０ｎｍ≦ａ≦２３０ｎｍ
とされて成ることを特徴とする請求項２記載の光記録媒体。
【請求項５】
上記ランドプリピットの上記記録トラックに沿う方向の長さをｂとしたときに、
１３０ｎｍ≦ｂ≦２３０ｎｍ
とされて成ることを特徴とする請求項１記載の光記録媒体。
【請求項６】
上記ランドプリピットの上記記録トラックに沿う方向の長さをｂとしたときに、
１３０ｎｍ≦ｂ≦２３０ｎｍ
とされて成ることを特徴とする請求項２記載の光記録媒体。
【請求項７】
上記ランドプリピットの上記記録トラックに沿う方向の長さをｂとしたときに、
１３０ｎｍ≦ｂ≦２３０ｎｍ
とされて成ることを特徴とする請求項３記載の光記録媒体。
【請求項８】
上記ランドプリピットの上記記録トラックに沿う方向の長さをｂとしたときに、
１３０ｎｍ≦ｂ≦２３０ｎｍ
とされて成ることを特徴とする請求項４記載の光記録媒体。
【請求項９】
再生用光の波長λが６５０ｎｍ±１０ｎｍ、対物レンズの開口数ＮＡが０．６０±０．０５、記録トラックのトラックピッチが７４０ｎｍ±３０ｎｍとされて成る光記録媒体を製造するための光記録媒体製造用スタンパであって、
上記記録トラックに沿って少なくともウォブルグルーブパターンが設けられ、該ウォブルグルーブパターンの間のランドに対応する位置にランドプリピットパターンが上記ウォブルグルーブパターンとは独立に設けられて成り、
上記ランドプリピットパターンの隣接する一方の上記ウォブルグルーブパターンからの距離δ’が、
２９０ｎｍ≦δ’≦３６０ｎｍ
とされて成ることを特徴とする光記録媒体製造用スタンパ。
【請求項１０】
上記光記録媒体の記録層が色素材料より成ることを特徴とする請求項９記載の光記録媒体製造用スタンパ。
【請求項１１】
上記ランドプリピットパターンの上記記録トラックと直交する方向の長さをａ’としたときに、
１１０ｎｍ≦ａ’≦２３０ｎｍ
とされて成ることを特徴とする請求項９記載の光記録媒体製造用スタンパ。
【請求項１２】
上記ランドプリピットパターンの上記記録トラックと直交する方向の長さをａ’としたときに、
１１０ｎｍ≦ａ’≦２３０ｎｍ
とされて成ることを特徴とする請求項１０記載の光記録媒体製造用スタンパ。
【請求項１３】
上記ランドプリピットパターンの上記記録トラックに沿う方向の長さをｂ’としたときに、
１３０ｎｍ≦ｂ’≦２３０ｎｍ
とされて成ることを特徴とする請求項９記載の光記録媒体製造用スタンパ。
【請求項１４】
上記ランドプリピットパターンの上記記録トラックに沿う方向の長さをｂ’としたときに、
１３０ｎｍ≦ｂ’≦２３０ｎｍ
とされて成ることを特徴とする請求項１０記載の光記録媒体製造用スタンパ。
【請求項１５】
上記ランドプリピットパターンの上記記録トラックに沿う方向の長さをｂ’としたときに、
１３０ｎｍ≦ｂ’≦２３０ｎｍ
とされて成ることを特徴とする請求項１１記載の光記録媒体製造用スタンパ。
【請求項１６】
上記ランドプリピットパターンの上記記録トラックに沿う方向の長さをｂ’としたときに、
１３０ｎｍ≦ｂ’≦２３０ｎｍ
とされて成ることを特徴とする請求項１２記載の光記録媒体製造用スタンパ。
【発明の詳細な説明】
【技術分野】
【０００１】
本発明は、再生用光の波長λが６５０ｎｍ±１０ｎｍ、対物レンズの開口数ＮＡが０．６０±０．０５、記録トラックのトラックピッチが７４０ｎｍ±３０ｎｍとされて成る光記録媒体及び光記録媒体製造用スタンパに係わる。
【背景技術】
【０００２】
光記録媒体として、例えばＣＤ(Compact Disc)、ＭＤ(Mini Disc)、ＤＶＤ(Digital Versatile Disc)など各種の記録媒体が提案されている。これらの光記録媒体は、一般的にそのＰＣ(ポリカーボネート)等より成る光透過性の基板上に、例えば記録トラックに沿ってグルーブ(案内溝)、ピットなどが形成され、この上に例えば反射層、各種の記録層、保護層などが形成された構成とされる。
【０００３】
従来より色素材料を記録層とするＤＶＤ−Ｒなどにおいては、グルーブのウォブル振幅に対応してランド部にピットを形成するいわゆるランドプリピット（ＬＰＰ：Land Pre Pit）を設け、このＬＰＰによりデータ記録時の高精度の位置決めを行うとか、記録アドレスやその他の記録に必要な情報の取得を行うフォーマットを採用している(例えば特許文献１及び特許文献２参照。)。
【０００４】
ところが、ＤＶＤ−Ｒにおいては、このＬＰＰを設けることによるＰＩ(Parity of Inner-code)エラーの悪化が問題となっている。
現状では、ＬＰＰの配置はこのＬＰＰの内側（ディスク半径方向の中心側）のグルーブのうねりに同期して、この外側に最大振幅となる位置に隣接して設け、グルーブからの距離は、隣接する両グルーブの中心（すなわちランド中心）位置とされている。
【０００５】
しかしながら、実際には例えば光記録媒体を通常のマスタリングプロセスにより製造する場合、すなわちガラス原盤に光露光により光学記録を行った後メッキ工程によりスタンパを作製してこのスタンパから光記録媒体用基板を転写形成する場合、ガラス原盤への露光時における記録トラックのトラックピッチの揺らぎやまたは露光レーザの設定誤差によりランド中心からずれた位置となるなど、位置精度が悪いという問題がある。
また中心位置に精度良く位置させた場合においても、半径方向外側のグルーブとはウォブル信号が同期していないために、この外側のグルーブのウォブル振幅によっては、内側のＬＰＰとの位置関係の変動が生じることから、ＬＰＰに由来するＰＩエラーの低減化は難しいとされている。
【０００６】
例えばＬＰＰの形状を特異的に微小化するフォーマットも考えられるが、ＬＰＰ自体の変調度(ＬＰＰｂ)の低下、またＡＲ特性（記録後再生波形特性）の安定性能の確保が困難となる。
【特許文献１】特開２０００−３５３３４２号公開公報
【特許文献２】特開２００１−２９１２８３号公開公報
【発明の開示】
【発明が解決しようとする課題】
【０００７】
本発明は、上述したようなＤＶＤ−Ｒ等のＬＰＰを設ける光記録媒体におけるエラー特性の劣化を抑制し、品質の安定化及び信頼性及び向上を図ることを目的とする。
【課題を解決するための手段】
【０００８】
本発明は、再生用光の波長λが６５０ｎｍ±１０ｎｍ、対物レンズの開口数ＮＡが０．６０±０．０５、記録トラックのトラックピッチが７４０ｎｍ±３０ｎｍとされて成る光記録媒体であって、記録トラックに沿って少なくともウォブルグルーブを設け、このウォブルグルーブの間のランドにランドプリピット（ＬＰＰ）をウォブルグルーブとは独立に設けて、ランドプリピットの隣接する一方のウォブルグルーブからの距離δを、
２９０ｎｍ≦δ≦３６０ｎｍ
として構成する。
【０００９】
また本発明は、上述の構成による光記録媒体において、ランドプリピットの記録トラックと直交する方向の長さ（すなわち幅）をａとしたときに、
１１０ｎｍ≦ａ≦２３０ｎｍ
として構成する。
【００１０】
更に本発明は、上述の各構成による光記録媒体において、ランドプリピットの記録トラックに沿う方向の長さをｂとしたときに、
１３０ｎｍ≦ｂ≦２３０ｎｍ
として構成する。
【００１１】
また更に本発明による光記録媒体製造用スタンパは、上述の各構成に対応するランドプリピットパターンを有する構成とするものである。
【００１２】
上述したように、本発明においては、ＬＰＰを設ける光記録媒体において、そのＬＰＰの配置位置、形状（幅及び長さ）を最適化するものである。すなわちその配置位置及び形状を適切に選定することによって、エラーレートなどの記録特性を良好に保持することができた。
また後段の発明の実施の形態において詳細に説明するように、記録層が色素材料より成るいわゆるＤＶＤ−Ｒに適用することによって、確実にエラーレートの低減化を図り、また各種記録再生特性を良好に保持することができた。
【００１３】
本発明構成の光記録媒体によれば、ＬＰＰの配置位置を隣接するグルーブの中心位置よりも片方のグルーブに近接させる配置とする。例えば内側のグルーブからの距離を上記範囲に選定すると、外側のグルーブとの距離は従来の中心位置とする場合と比較して離間する構成となる。
【００１４】
上述したように、通常ＬＰＰは内側のグルーブのうねりに同期して最大振幅となった位置に設けるため、外側のグルーブのウォブル信号と同期せず、内側のＬＰＰとの距離が変動するものであるが、本発明構成とする場合は、この外側のグルーブとの距離が従来より大となることから、この変動による影響を低減化させることができる。
従って本発明による光記録媒体は、このようにグルーブ−ＬＰＰ間距離の変動の影響を低減化したことにより、実質的にエラー特性の向上を図ることができるものと考えられる。
【００１５】
また更に本発明構成の光記録媒体において、ＬＰＰの幅及び長さを適切に選定することによって、更にエラー特性の向上を図ることができた。
これにより、特性の安定な信頼性に優れた光記録媒体を提供することができる。
【発明の効果】
【００１６】
上述したように、本発明によれば、ランドプリピットの配置位置を適切に選定することによって、エラーレートの低減化を図ることができ、記録再生特性の向上を図ることができる。
【００１７】
更に、本発明による光記録媒体において、記録層が色素材料より成る構成とする場合に、確実にエラーレートを低減化し、良好な記録再生特性の光記録媒体を提供することができる。
【００１８】
また、本発明による光記録媒体において、更に記録トラックと直交する方向の長さ（すなわち幅）を適切に選定することによって、エラーレートの低減化を確実に図ることができる。
更にまた、本発明による光記録媒体において、記録トラックに沿う方向の長さを適切に選定することによって、エラーレートの低減化を確実に図ることができる。
【００１９】
また本発明による光記録媒体製造用スタンパによれば、エラーレートの低減化された良好な記録再生特性の光記録媒体を製造することができる。
【発明を実施するための最良の形態】
【００２０】
以下本発明による各実施の形態について詳細に説明するが、本発明は以下の各例に限定されることなく、その他種々の変形、変更が可能であることはいうまでもない。
【００２１】
本発明による光記録媒体は、再生用光の波長λが６５０ｎｍ±１０ｎｍ、対物レンズの開口数ＮＡが０．６０±０．０５、記録トラックのトラックピッチが７４０ｎｍ±３０ｎｍとされて成る光記録媒体であって、図１にその一例の略線的拡大平面構成を示すように、記録トラックに沿って少なくともウォブルグルーブ１が設けられ、このウォブルグルーブ１の間のランドにランドプリピット２をウォブルグルーブ１とは独立に設ける構成とする。
【００２２】
そして、このランドプリピット２の隣接する一方のウォブルグルーブ１、図示の例では例えばディスク状媒体とする場合中心方向に隣接する内側のグルーブ１からの距離δ、すなわち図１においてウォブルグルーブ１及びランドプリピット２の各中心位置(トラック中心)を一点鎖線ｃ１及びｃ２で示す場合これらの間隔δが、
２９０ｎｍ≦δ≦３６０ｎｍ
となるように構成する。
【００２３】
また更に本発明においては、特にこの光記録媒体において、記録層が色素材料より成るいわゆるＤＶＤ−Ｒに適用するものとする。図２にＤＶＤ−Ｒ型構成の光記録媒体の一例の略線的拡大断面図を示す。ＰＣ等より成る基板１０の上に、ウォブルグルーブ１及びランドプリピット１２が形成され、この上に色素材料より成る記録層１１、反射層１２及び保護層１３が積層されて構成される。
【００２４】
また本発明による光記録媒体は、上述の構成において、ランドプリピット２の記録トラック１と直交する方向の長さ、すなわち幅をａとしたときに、
１１０ｎｍ≦ａ≦２３０ｎｍ
として構成する。
更に上述の各構成において、ランドプリピット２の記録トラックに沿う方向の長さをｂとしたときに、
１３０ｎｍ≦ｂ≦２３０ｎｍ
として構成する。
【００２５】
このような構成とすることによって、図１においてランドプリピット２とこれより外周側、図示の例では右側に隣接するウォブルグルーブ１との間隔ｄを、グルーブ間の中心位置にランドプリピットを配置する場合と比較して大とすることとなり、これによりこの外周側グルーブのウォブル振幅による間隔ｄの変動量の比を小さくし、この変動による影響を緩和することができる。また後段の実施例において詳細に説明するように、確実にＰＩエラー特性の向上を図り、またジッター特性、ブロックエラーレート（ＢＬＥＲ）、ＡＲ特性及びＬＰＰｂ値を良好に保持することが確認できた。
【００２６】
次に、本発明の実施の形態に適用し得るスタンパの製造工程の一例を図面を参照して説明する。
図３Ａ〜Ｆは従来と同様の光記録媒体製造用スタンパの製造工程を示す工程図である。まず、図３Ａに示すように、表面洗浄されたガラス等より成る原盤用の基板６１に、図示しないがカップリング材等を介してフォトレジスト等の感光層６２を塗布する。この感光層６２に対して後述する図４に示す光学記録装置を用いて情報に対応するピット形状、または光記録媒体にグルーブを設ける場合はその形状に対応する露光を行って潜像を形成し、現像工程を経て図３Ｂに示すように所定の情報信号に対応するグルーブパターン６３ａ及びランドプリピットパターン６３ｂを形成し、いわゆるガラス原盤を作製する。
このとき、図示しないがグルーブパターン６３ａとランドプリピットパターン６３ｂとの間隔δ’を
２９０ｎｍ≦δ’≦３６０ｎｍ
とし、またランドプリピットパターン６３ｂの幅ａ’及び記録トラックに沿う方向の長さｂ’をそれぞれ、
１１０ｎｍ≦ａ’≦２３０ｎｍ
１３０ｎｍ≦ｂ’≦２３０ｎｍ
として形成する。
【００２７】
そして、このガラス原盤の凹凸パターン面、即ち信号形成面上を覆って例えば無電界メッキ法等により薄い導電化膜を形成した後電気メッキ法等によって図３Ｃに示すようにメッキ層６４ａを形成する。その後、図３Ｄに示すように、メッキ層を剥離してスタンパ６４（いわゆるマスタースタンパ）を形成する。
【００２８】
そしてこの後、所定の剥離材等を塗布した後、同様にスタンパ６４に無電界メッキ、電気メッキを施して、図３Ｅに示すように凹凸パターンが転写されたいわゆるマザースタンパ６５を形成し、更にこのマザースタンパ６５から同様の工程により、図３Ｆに示すようにグルーブパターン６６ａ及びランドプリピットパターン６６ｂが形成されたサンスタンパ６６を得ることができる。このサンスタンパ６６を多数用意することによって、射出成型法、２Ｐ法等により光記録媒体製造用基板を生産性良く製造することができる。
【００２９】
なお、上述のガラス原盤に対する光学記録は、図４Ａに概略構成を示す一般的な光学記録装置により行うことができる。図４Ａにおいては、光源からの光を２つに分割して例えばグルーブとピットとを一部同期させて形成するものである。レーザ等の光源２０から出射された光は、電気制御手段２１を介してハーフミラー２２，２３により分割される。ハーフミラー２３の後段には受光素子２４が設けられて、この受光素子２４からの出力を電気制御手段２１にフィードバックして光源からの光の強度等の調整を行うことができる。
【００３０】
ハーフミラー２３を反射した第１の光は、集光レンズ２５を介して音響光学変調器（ＡＯＭ）２６に入射され、図示しないがドライバから入力された変調信号に対応してＯＮ／ＯＦＦ制御される。そして、このＡＯＭ２６から出射された光はレンズ２７によりコリメートされ、ミラー２８により反射されて移動光学テーブル５０に導かれる。
【００３１】
一方ハーフミラー２２により反射された第２の光は集光レンズ２９により音響光学変調器３０に入射され、同様にドライバ（図示せず）からの信号に対応してＯＮ／ＯＦＦ制御されレンズ３１によりコリメートされ、ミラー３２により反射されて同様に移動光学テーブル５０に導かれる。
【００３２】
移動光学テーブル５０には、ウェッジプリズム３３，３５とこの間に音響光学偏向器（ＡＯＤ）３４が設けられ、ミラー３２から反射された第２の光にウォブル変調を施す。ＡＯＤ３４には、これを駆動するための駆動用のドライバ(図示せず)が取り付けられており、またこのドライバには、例えば電圧制御発振器から高周波信号が供給され、所望のウォブル情報を付加した光学偏向が施される。
【００３３】
そしてこの第２の光はミラー３６により反射され、偏光ビームスプリッタＰＢＳ３７によってミラー２８により反射された第１の光と合成される。各光の偏光向成分を適切に選定し、ＰＢＳ３７の反射／透過面の角度を調整することによって、各光を所定の間隔をもって合成することができる。上述のウェッジプリズム３３、３５及び音響光学偏向器３４、ミラー３６及びこのＰＢＳ３７が移動光学テーブル５０上に配置され、露光する基板６１の盤面に沿う方向に水平移動するようになされる。
【００３４】
そしてこの合成された光を拡大レンズ３８によって拡大し、ミラー３９により反射して対物レンズ４０に入射させ、ガラス等により成る原盤用の基板６１上に塗布したフォトレジスト等より成る感光層６２に照射する。なお基板６１を、図示しないが回転手段により矢印ｅで示すように回転させ、移動光学テーブル５０を矢印ｆで示す基板６１の半径方向に移動させることによって、基板６１上の所望の範囲に走査照射することができる。一点鎖線ｃは基板６１の回転軸を示す。このようにして、所望の凹凸パターンに対応する光学記録を行うことができる。
【００３５】
図４Ｂは基板６１上の露光用光の照射態様を模式的に示した説明図である。対物レンズ４０を介してグルーブ用の露光用光ＬGと、ランドプリピット用の露光用光ＬPとを、所定の間隔δ’（＝δ）をもって照射することができる。
またランドプリピットパターンの幅ａ’及び長さｂ’は、露光用光の強度と露光時間を調節することにより精度良く制御することができる。
【００３６】
本形態においては、前述の図３Ａ〜Ｄにおいて説明したスタンパ製造工程をとって上述の本発明構成のランドプリピット配置位置、形状を有するスタンパを形成することができる。
このような製造方法によりスタンパ６４、いわゆるマスタースタンパを作製し、そのスタンパ６４上のグルーブ１とランドプリピット２との間隔を走査型電子顕微鏡ＳＥＭにより観察して計測し、露光条件をフィードバックしてこの間隔δを調整した。更に、露光用光強度及び露光時間を制御して記録トラックと直交する方向の長さａ及び記録トラックに沿う方向の長さｂとの調整を行った。
【００３７】
図５は、図４Ａに示す光学記録装置において、感光層６２からの戻り光をモニターした変位量に対し、現像後に転写して作製したスタンパのＬＰＰ配置位置δの変化量を示す図である。このようにモニター測定値とスタンパのＬＰＰの位置を予め測定することにより、モニター測定値を制御して精度良く配置位置δを制御することができる。また同様の測定結果を露光用光強度及び露光時間を制御して行うことにより、ＬＰＰの長さａ及びｂについても精度良く調整することができる。
【００３８】
〔実施例〕
次に、本発明による光記録媒体の各実施例について図面を参照して詳細に説明する。各例ともに、前述の図２において説明したＤＶＤ−Ｒ型構成の光記録媒体に本発明を適用した例を示す。以下の例においては、光記録媒体の基板材料としてはＰＣ（ポリカーボネート）を用いて、この上に色素記録層を形成し、更にこの上にＡｇＮｄＣｕ合金より成る反射層、紫外線硬化樹脂より成る保護層を形成して光記録媒体を構成した。
またウォブルグルーブの幅は３２０ｎｍ、トラックピッチは７４０ｎｍとした。
【００３９】
記録層材料として（アゾ系色素）は、下記化１で表されるアゾ系色素を１重量部を、弗素化アルコール２０重量部に溶解したものを用いた。
【００４０】
【化１】
2005032388.tif 000003
【００４１】
尚、上記化１中、Ｘ1、Ｘ2は各々独立にハロゲン原子、ニトロ基、シアノ基、水素原子を表わし、Ｘ1、Ｘ2が同時にハロゲン原子または水素原子となることはない。また、Ｒ1〜Ｒ3は水素原子または総炭素数１〜２０の置換または未置換のアルキル基、Ｒ４は総炭素数５〜２０の置換または未置換のアルキル基を表わし、Ｒ1とＲ2またはＲ2とＲ3は連結基を介して環を形成しても良い。
【００４２】
そしてこの記録層材料を、ウォブルされている記録領域より内側から塗り始め、上記溶解液を滴下してスピンコート法でディスクを回転させ、ディスク面内で記録層を均一に塗布し、膜厚６０ｎｍを得た。次に、ＡｇまたはＡｇ合金等、この例においてはＡｇＮｄＣｕ合金による反射層をスパッタリング（高周波スパッタ装置により、1×１０-4Ｐａの真空度に到達した後、Ａｒ雰囲気１〜３Ｐａ中で、電力２．５ｋＷとしてスパッタを行った）によって成膜し、膜厚１２０ｎｍのＡｇＮｄＣｕより成る反射層を形成した。更に、この反射層上に紫外線硬化樹脂をスピンコート法により塗布し、当該紫外線硬化樹脂に対して紫外線を照射し硬化させることにより、膜厚１０μｍの保護層を形成した。
以上の工程により、本発明構成によるＤＶＤ−Ｒに適用して好適な光記録媒体の各例を作製した。
【００４３】
（１）実施例１
上述の構成において、ランドプリピットの配置位置δ、すなわちこの例では、ピットの内側のウォブルグルーブのピット側への最大振幅位置からの間隔δを３２５ｎｍ、トラックと直交する方向の長さａを１５８ｎｍ、トラックに沿う方向の長さｂを１５８ｎｍとして構成した。この場合のＳＥＭによる２５０００倍の観察図を図６に示す。
【００４４】
（２）実施例２
この例においては、ランドプリピットの配置位置δを３１１ｎｍ、トラックと直交する方向の長さａを１４６ｎｍ、トラックに沿う方向の長さｂを１８２ｎｍとして構成した。この場合のＳＥＭによる２５０００倍の観察図を図７に示す。
【００４５】
次に、上述の実施例１及び２におけるランドプリピットの配置形状とし、前述の材料構成の光記録媒体をそれぞれ２例ずつ作製してこれを実施例１Ａ及び１Ｂ、実施例２Ａ及び２Ｂとし、各光記録媒体に対し、ＤＶＤ−Ｒ対応の評価装置、すなわち再生用光の波長λが６５０ｎｍ、対物レンズの開口数ＮＡが０．６０±０．０５の評価装置を用いて、ジッター（％）、ＰＩエラー、ＢＬＥＲ（％）、ＡＲ特性、ＬＰＰｂ（変調度）を測定した。この結果を以下の表１に示す。
【００４６】
【表１】
2005032388.tif 000004
【００４７】
なお、例えばＤＶＤ−Ｒにおいては、ジッター８%未満、ＰＩエラー１００未満、ＢＬＥＲ５％未満、ＡＲ特性１５以上、ＬＰＰｂ０．１８以上０．２８以下とするように規格が選定されている。
従って、上記表１の結果から上述の各実施例における本発明構成の光記録媒体は、規格内の良好なエラー特性、再生特性を示すことが明らかである。
【００４８】
次に、ランドプリピットの配置位置δ、幅ａ及び長さｂを変化させた場合の、光記録媒体の内周側及び外周側のグルーブにおける記録信号のＰＩエラー特性を調べた。この結果を図８、図９及び図１０に示す。
【００４９】
図８〜図１０は、それぞれランドプリピットの配置位置δ、幅ａ及び長さｂに対するＰＩエラーの変化を示す。各図において実線ｘ１〜ｘ３は内周側グルーブのエラー特性、ｙ１〜ｙ３は外周側グルーブのエラー特性を示す。外周側においては、ＰＩエラー値が増加している傾向が見られるが、これは外乱による影響が大きいためである。
上述したように、ＰＩエラーは１００未満であることが規格により求められている。
【００５０】
これら図８〜図１０の結果から、ランドプリピットの最適な配置位置δの範囲、幅ａ及び長さｂの範囲はそれぞれ
２９０ｎｍ≦δ≦３６０ｎｍ
１１０ｎｍ≦ａ≦２３０ｎｍ
１３０ｎｍ≦ｂ≦２３０ｎｍ
とするときに、内周側グルーブにおける再生特性を良好に保持し、また外周側グルーブにおけるＰＩエラーをほぼ規格内に抑えることができることがわかる。
【００５１】
なお、図８の結果からわかるように、外周側のグルーブのＰＩエラーを確実に規格内の範囲に抑えるためには、ランドプリピットの配置位置δを、
２９０ｎｍ≦δ＜３４０ｎｍ
の範囲にすることがより好ましいことがわかる。
【００５２】
上述したように、本発明構成の光記録媒体、または光記録媒体製造用スタンパから作製した光記録媒体によれば、ランドプリピットの配置位置及び形状を最適化することによって、エラーレートの低減化を図って良好な記録再生特性を実現することができる。
【００５３】
特にＤＶＤ−Ｒ型構成の光記録媒体に本発明を適用することによって、良好な記録再生特性を保持し、品質の安定化と信頼性の向上を図ることができる。
またエラーレートの低減化は、今後のデータ転送の高速化に伴うシステムとしての光学記録再生装置の信号再生系のマージン（余裕度）の低下を抑制し、想定されるマージンよりも大きなシステムマージンを実現することも可能となる。
【００５４】
なお、本発明は上述の実施例に限定されることなく、その他記録層材料、構成などの異なる光記録媒体及び光記録媒体製造用スタンパに適用することが可能であり、ランドプリピットを設ける各種の光記録媒体において、本発明構成を逸脱しない範囲で種々の変形、変更が可能であることはいうまでもない。
【図面の簡単な説明】
【００５５】
【図１】本発明による光記録媒体の一例の略線的拡大断面構成を示す図である。
【図２】光記録媒体の一例の要部の略線的拡大断面図である。
【図３】Ａは光記録媒体製造用スタンパの一例の製造工程図である。Ｂは光記録媒体製造用スタンパの一例の製造工程図である。Ｃは光記録媒体製造用スタンパの一例の製造工程図である。Ｄは光記録媒体製造用スタンパの一例の製造工程図である。Ｅは光記録媒体製造用スタンパの一例の製造工程図である。Ｆは光記録媒体製造用スタンパの一例の製造工程図である。
【図４】Ａは光学記録装置の一例の概略構成図である。Ｂは光記録媒体への露光態様の説明図である。
【図５】モニター変位量に対するランドプリピットの配置位置δの変化を示す図である。
【図６】本発明による光記録媒体の一例のＳＥＭによる観察図である。
【図７】本発明による光記録媒体の他の例のＳＥＭによる観察図である。
【図８】ランドプリピットの配置位置δとＰＩエラーの関係を示す図である。
【図９】ランドプリピットの記録トラックと直交する方向の長さａとＰＩエラーの関係を示す図である。
【図１０】ランドプリピットの記録トラックに沿う方向の長さｂとＰＩエラーの関係を示す図である。
【符号の説明】
【００５６】
１    ウォブルグルーブ
２    ランドプリピット
１０  基板
１１  記録層
１２  反射層
１３  保護層
２０  光源
２１  制御手段
２２  ハーフミラー
２３  ハーフミラー
２４  受光素子
２５  レンズ
２６  音響光学変調器（ＡＯＭ）
２７  レンズ
２８  ミラー
２９  レンズ
３０  音響光学変調器（ＡＯＭ）
３１  レンズ
３２  ミラー
３３  ウェッジプリズム
３４    音響光学偏向器（ＡＯＤ）
３５  ウェッジプリズム
３６  ミラー
３７  偏光ビームスプリッタ
３８  拡大レンズ
３９  ミラー
４０  対物レンズ
５０  移動光学テーブル
６１  基板
６２  感光層
６３  凹凸パターン
６４ａ  メッキ層
６４  スタンパ
６５  マザースタンパ
６６  サンスタンパ
【図１】
2005032388.tif 000005
【図２】
2005032388.tif 000006
【図３】
2005032388.tif 000007
【図４】
2005032388.tif 000008
【図５】
2005032388.tif 000009
【図６】
2005032388.tif 000010
【図７】
2005032388.tif 000011
【図８】
2005032388.tif 000012
【図９】
2005032388.tif 000013
【図１０】
2005032388.tif 000014